(57)【要約】  情報処理装置（２０００）は、直列に接続された複数の電池セルの中から、異常（例えば漏液）が発生している電池セルを検出する。第１差分電圧取得部（２０２０）は、複数の電池セルそれぞれについて第１差分電圧を取得する。電池セルの第１差分電圧は、充電が完了したその電池セルの電圧と、充電が完了してから所定時間動作した時点におけるその電池セルの電圧との差分である。判定部（２０４０）は、第１電池セルの第１差分電圧と、第１電池セルの次に第１差分電圧が大きい電池セルの第１差分電圧と差異が第１所定値以上である場合に、第１電池セルに異常が発生していると判定する。
2018012151.tif 000002
【特許請求の範囲】
【請求項１】
直列に接続された複数の電池セルそれぞれについて、充電が完了した後の電圧と、充電が完了してから所定時間動作した時点における電圧との差分である第１差分電圧を取得する第１差分電圧取得手段と、
第１の前記電池セルの前記第１差分電圧と、第１の前記電池セルの次に前記第１差分電圧が大きい第２の前記電池セルの前記第１差分電圧との差異が第１所定値以上である場合に、第１の前記電池セルに異常が発生していると判定する判定手段と、を有する情報処理装置。
【請求項２】
第１の前記電池セルは、前記第１差分電圧が最も大きい前記電池セルである、請求項１に記載の情報処理装置。
【請求項３】
前記判定手段は、第１の前記電池セルに異常が発生していると判定した場合、第１の前記電池セルの第１差分電圧よりも第１差分電圧が大きい他の前記電池セルにも異常が発生していると判定する、請求項１又は２に記載の情報処理装置。
【請求項４】
前記電池セルを制御するセルバランス回路の動作頻度を表す頻度指標値を取得する頻度指標値取得手段を有し、
前記判定手段は、第１の前記電池セルの前記第１差分電圧と、第１の前記電池セルの次に前記第１差分電圧が大きい第２の前記電池セルの前記第１差分電圧との差異が前記第１所定値以上であり、なおかつ第１の前記電池セルを制御するセルバランス回路の動作頻度が所定頻度以上である場合に、第１の前記電池セルに異常が発生していると判定する、請求項１乃至３いずれか一つに記載の情報処理装置。
【請求項５】
各前記電池セルについて、充電が完了した後の電圧と、放電が完了した後の電圧との差分である第２差分電圧を取得する第２差分電圧取得手段を有し、
前記判定手段は、第１の前記電池セルの前記第１差分電圧と、第１の前記電池セルの次に前記第１差分電圧が大きい第２の前記電池セルの前記第１差分電圧との差異が前記第１所定値以上であり、第１の前記電池セルを制御するセルバランス回路の動作頻度が前記所定頻度未満であり、なおかつ第１の前記電池セルの前記第２差分電圧が第２所定値以上ある場合に、第１の前記電池セルの経過観察が必要であると判定する、請求項４に記載の情報処理装置。
【請求項６】
コンピュータによって実行される制御方法であって、
直列に接続された複数の電池セルそれぞれについて、充電が完了した後の電圧と、充電が完了してから所定時間動作した時点における電圧との差分である第１差分電圧を取得する第１差分電圧取得ステップと、
第１の前記電池セルの前記第１差分電圧と、第１の前記電池セルの次に前記第１差分電圧が大きい第２の前記電池セルの前記第１差分電圧との差異が第１所定値以上である場合に、第１の前記電池セルに異常が発生していると判定する判定ステップと、を有する制御方法。
【請求項７】
第１の前記電池セルは、前記第１差分電圧が最も大きい前記電池セルである、請求項６に記載の制御方法。
【請求項８】
前記判定ステップにおいて、第１の前記電池セルに異常が発生していると判定した場合、第１の前記電池セルの第１差分電圧よりも第１差分電圧が大きい他の前記電池セルにも異常が発生していると判定する、請求項６又は７に記載の制御方法。
【請求項９】
前記電池セルを制御するセルバランス回路の動作頻度を表す頻度指標値を取得する頻度指標値取得ステップを有し、
前記判定ステップにおいて、第１の前記電池セルの前記第１差分電圧と、第１の前記電池セルの次に前記第１差分電圧が大きい第２の前記電池セルの前記第１差分電圧との差異が前記第１所定値以上であり、なおかつ第１の前記電池セルを制御するセルバランス回路の動作頻度が所定頻度以上である場合に、第１の前記電池セルに異常が発生していると判定する、請求項６乃至８いずれか一つに記載の制御方法。
【請求項１０】
各前記電池セルについて、充電が完了した後の電圧と、放電が完了した後の電圧との差分である第２差分電圧を取得する第２差分電圧取得ステップを有し、
前記判定ステップにおいて、第１の前記電池セルの前記第１差分電圧と、第１の前記電池セルの次に前記第１差分電圧が大きい第２の前記電池セルの前記第１差分電圧との差異が前記第１所定値以上であり、第１の前記電池セルを制御するセルバランス回路の動作頻度が前記所定頻度未満であり、なおかつ第１の前記電池セルの前記第２差分電圧が第２所定値以上ある場合に、第１の前記電池セルの経過観察が必要であると判定する、請求項９に記載の制御方法。
【請求項１１】
請求項６乃至１０いずれか一つに記載の制御方法の各ステップをコンピュータに実行させるプログラム。
【発明の詳細な説明】
【技術分野】
【０００１】
本発明は電池セルの管理に関する。
【背景技術】
【０００２】
蓄電池には、複数の二次電池を直列に接続することで構成されるものがある。以下、この二次電池を電池セルと呼ぶ。このような蓄電池を運用していく中で、蓄電池に含まれる一部の電池セルにおいて漏液などの異常が生じることがある。電池セルに異常が生じた場合、その電池セルを新しい電池セルに交換するなどの対処が必要となる。【０００３】
そこで、電池セルに異常が生じたことを検出する技術が開発されている。特許文献１の装置は、組電池を構成する各電池セルの無負荷時における電圧の平均値を利用して、異常が生じている電池セルを検出する。具体的には、この装置は、或る電池セルの無負荷時の電圧と上記平均値との差分が判定閾値以上である場合に、その電池セルに異常が生じていると判定する。【０００４】
特許文献２の装置は、組電池を構成する各電池セルの放電時における電圧の平均値を利用して、電池セルの劣化状態を判定する。具体的には、この装置は、或る電池セルの放電時における電圧と上記平均値との差分が判定閾値以上である場合に、その電池セルが劣化していると判定する。
【先行技術文献】
【特許文献】
【０００５】
【特許文献１】特開２００２−３３４７２６号公報
【特許文献２】特開２００７−３０９８３９号公報
【発明の概要】
【発明が解決しようとする課題】
【０００６】
特許文献１の装置と特許文献２の装置はいずれも、電池セルの電圧の平均値を算出する必要がある。そのため、異常が生じている電池セルを検出するための処理が複雑になる。【０００７】
本発明は、上記の課題に鑑みてなされたものであり、異常が生じている電池セルを容易に検出できる技術を提供することを目的とする。
【課題を解決するための手段】
【０００８】
本発明の情報処理装置は、（１）直列に接続された複数の電池セルそれぞれについて、充電が完了した後の電圧と、充電が完了してから所定時間動作した時点における電圧との差分である第１差分電圧を取得する第１差分電圧取得手段と、（２）第１の前記電池セルの前記第１差分電圧と、第１の前記電池セルの次に前記第１差分電圧が小さい第２の前記電池セルの前記第１差分電圧との差異が第１所定値以上である場合に、第１の前記電池セルに異常が発生していると判定する判定手段と、を有する。【０００９】
本発明の制御方法は、コンピュータによって実行される。当該制御方法は、（１）直列に接続された複数の電池セルそれぞれについて、充電が完了した後の電圧と、充電が完了してから所定時間動作した時点における電圧との差分である第１差分電圧を取得する第１差分電圧取得ステップと、（２）第１の前記電池セルの前記第１差分電圧と、第１の前記電池セルの次に前記第１差分電圧が小さい第２の前記電池セルの前記第１差分電圧との差異が第１所定値以上である場合に、第１の前記電池セルに異常が発生していると判定する判定ステップと、を有する。【００１０】
本発明のプログラムは、本発明の制御方法が有する各ステップをコンピュータに実行させる。
【発明の効果】
【００１１】
本発明によれば、異常が生じている電池セルを容易に検出できる技術が提供される。
【図面の簡単な説明】
【００１２】
上述した目的、およびその他の目的、特徴および利点は、以下に述べる好適な実施の形態、およびそれに付随する以下の図面によってさらに明らかになる。【００１３】
【図１】実施形態１に係る情報処理装置を例示するブロック図である。
【図２】電池セルの第１差分電圧を例示する図である。
【図３】情報処理装置を実現するための計算機を例示する図である。
【図４】実施形態１の情報処理装置によって実行される処理の流れを例示するフローチャートである。
【図５】蓄電システムの構成を例示する図である。
【図６】複数の蓄電システムと通信回線を介して接続された情報処理装置を例示する図である。
【図７】記憶部に記憶されるデータをテーブル形式で例示する図である。
【図８】蓄電システムに含まれる各電池セルを順次第１電池セルとして扱うケースにおいて、情報処理装置によって実行される処理の流れを例示するフローチャートである。
【図９】複数の電池セルそれぞれの電圧の変化を示す図である。
【図１０】実施形態２の情報処理装置を例示する図である。
【図１１】実施形態２の情報処理装置によって実行される処理の流れを例示するフローチャートである。
【図１２】実施形態２における蓄電システムを例示する図である。
【図１３】実施形態３の情報処理装置を例示する図である。
【図１４】第２差分電圧を例示する図である。
【図１５】実施形態３の情報処理装置によって実行される処理の流れを例示するフローチャートである。
【発明を実施するための形態】
【００１４】
以下、本発明の実施の形態について、図面を用いて説明する。尚、すべての図面において、同様な構成要素には同様の符号を付し、適宜説明を省略する。
【００１５】
［実施形態１］
図１は、実施形態１に係る情報処理装置２０００を例示するブロック図である。図１において、各ブロックは、ハードウエア単位の構成ではなく、機能単位の構成を表している。
【００１６】
情報処理装置２０００は、直列に接続された複数の電池セルの中から、異常（例えば漏液）が発生している電池セルを検出する。そのために、情報処理装置２０００は、第１差分電圧取得部２０２０及び判定部２０４０を有する。
【００１７】
第１差分電圧取得部２０２０は、複数の電池セルそれぞれについて第１差分電圧を取得する。電池セルの第１差分電圧は、充電が完了したその電池セルの電圧（例えば充電が完了した時点におけるその電池セルの電圧）と、充電が完了してから所定時間動作した時点におけるその電池セルの電圧との差分である。なお、「充電が完了した電池セルの電圧」とは、その電池セルの充電が完了した時点からその電池セルの利用を開始する時点までの間の任意の時点におけるその電池セルの電圧であればよい。ただし、前述した「充電が完了した時点におけるその電池セルの電圧」を「充電が完了した電池セルの電圧」とすることが好適である。
【００１８】
図２は、或る電池セルの第１差分電圧を例示する図である。図２において、時点 Ta は、電池セルの充電が完了した時点である。時点 Tb は、時点 Ta から所定時間 DT 経過した時点である。所定時間 DT は任意の長さである。例えば所定時間 DT は４時間である。図２において、Va は時点 Ta における電池セルの電圧であり、Vb は時点 Tb における電池セルの電圧であり、FDV は第１差分電圧である。ここで、FDV は、Va と Vb の差分（Va-Vb）である。
【００１９】
判定部２０４０は、各電池セルの第１差分電圧に基づいて、電池セルに異常が発生しているか否かを判定する。具体的には、判定部２０４０は、第１電池セルと、第１電池セルの次に第１差分電圧が大きい第２電池セルとについて、第１差分電圧の差異を算出する。つまり、第１電池セルの第１差分電圧を FDV1、第２電池セルの第１差分電圧を FDV2 と表記すれば、判定部２０４０は（FDV1-FDV2）を算出する。そして判定部２０４０は、この算出した（FDV1-FDV2）が第１所定値以上である場合に、第１電池セルに異常が発生していると判定する。
【００２０】
＜作用・効果＞
本実施形態の情報処理装置２０００によれば、第１電池セルの第１差分電圧と、第１電池セルの次に第１差分電圧が大きい第２電池セルとの差異の大きさを第１所定値と比較することにより、第１電池セルに異常が生じているか否かを判定することができる。この判定において、統計値の算出は不要である。そのため、本実施形態の情報処理装置２０００によれば、異常が生じている電池セルを、簡易な処理で容易に検出することができる。
【００２１】
ここで、電池セル１０に異常が生じているか否かを判定する別の方法として、電池セル１０同士で第１差分電圧を比較するのではなく、各電池セル１０の第１差分電圧を個別にチェックする方法がある。具体的には、「或る電池セル１０の第１差分電圧が所定の値以上である場合、その電池セル１０に異常が生じていると判定する」という方法がある。しかし本発明者は、この方法では、長期に渡って電池セル１０を稼働させた場合に、予測の範囲内である経年劣化を漏液などの異常と誤って判定してしまうケースが増えることを見出した。長期の稼働による経年劣化は、電池セル１０の性質上予測されるものであり、漏液などといった予期せぬ異常とは区別することが好ましい。
【００２２】
経年劣化の場合、いずれの電池セル１０についても第１差分電圧が大きくなっていく。そのため、電池セル１０同士で第１差分電圧を比較することで電池セル１０の異常を検出すれば、経年劣化による第１差分電圧の増加を誤って電池セル１０の異常と検出してしまう蓋然性が低くなる。
【００２３】
そこで本実施形態の情報処理装置２０００は、第１電池セルの第１差分電圧と、第２電池セルの第１差分電圧との差異に基づいて、第１電池セルに異常が生じているか否かを判定する。よって、本実施形態の情報処理装置２０００によれば、経年劣化を漏液などの予期せぬ異常と誤って判定してしまう蓋然性が小さくなるため、漏液などの予期せぬ異常を高い精度で検出することができる。
【００２４】
以下、本実施形態についてさらに詳細に説明する。
【００２５】
＜情報処理装置２０００のハードウエア構成例＞
情報処理装置２０００の各機能構成部は、各機能構成部を実現するハードウエア（例：ハードワイヤードされた電子回路など）で実現されてもよいし、ハードウエアとソフトウエアとの組み合わせ（例：電子回路とそれを制御するプログラムの組み合わせなど）で実現されてもよい。以下、情報処理装置２０００の各機能構成部がハードウエアとソフトウエアとの組み合わせで実現される場合について、さらに説明する。
【００２６】
図３は、情報処理装置２０００を実現するための計算機１０００を例示する図である。計算機１０００は任意の計算機である。例えば計算機１０００は、サーバマシン、Personal Computer（PC）、タブレット端末、又はスマートフォンなどである。計算機１０００は、情報処理装置２０００を実現するために設計された専用の計算機であってもよいし、汎用の計算機であってもよい。
【００２７】
計算機１０００は、バス１０２０、プロセッサ１０４０、メモリ１０６０、ストレージ１０８０、入出力インタフェース１１００、及びネットワークインタフェース１１２０を有する。バス１０２０は、プロセッサ１０４０、メモリ１０６０、ストレージ１０８０、入出力インタフェース１１００、及びネットワークインタフェース１１２０が、相互にデータを送受信するためのデータ伝送路である。ただし、プロセッサ１０４０などを互いに接続する方法は、バス接続に限定されない。プロセッサ１０４０は、CPU (Central Processing Unit) や GPU (Graphics Processing Unit) などの演算処理装置である。メモリ１０６０は、RAM (Random Access Memory) や ROM (Read Only Memory) などのメモリである。ストレージ１０８０は、ハードディスク、SSD (Solid State Drive)、又はメモリカードなどの記憶装置である。また、ストレージ１０８０は、RAM や ROM などのメモリであってもよい。
【００２８】
入出力インタフェース１１００は、計算機１０００と入出力デバイスとを接続するためのインタフェースである。例えば入出力インタフェース１１００には、キーボードやマウスなどが接続される。
【００２９】
ネットワークインタフェース１１２０は、計算機１０００を外部の装置と通信可能に接続するためのインタフェースである。ネットワークインタフェース１１２０は、有線回線と接続するためのネットワークインタフェースでもよいし、無線回線と接続するためのネットワークインタフェースでもよい。
【００３０】
計算機１０００のハードウエア構成は図３に示した構成に限定されない。例えば、各プログラムモジュールはメモリ１０６０に格納されてもよい。この場合、計算機１０００は、ストレージ１０８０を備えていなくてもよい。
【００３１】
＜処理の流れ＞
図４は、実施形態１の情報処理装置２０００によって実行される処理の流れを例示するフローチャートである。第１差分電圧取得部２０２０は、各電池セルの第１差分電圧を取得する（Ｓ１０２）。判定部２０４０は、第１電池セルの第１差分電圧と第２電池セルの第１差分電圧との差異が第１所定値以上であるか否かを判定する（Ｓ１０４）。第１電池セルの第１差分電圧と第２電池セルの第１差分電圧との差異が第１所定値以上である場合（Ｓ１０４：ＹＥＳ）、判定部２０４０は、第１電池セルに異常が発生していると判定する（Ｓ１０６）。
【００３２】
第１電池セルの第１差分電圧と第２電池セルの第１差分電圧との差異が第１所定値未満である場合（Ｓ１０４：ＮＯ）についての第１電池セルの扱いは任意である。例えば判定部２０４０は、第１電池セルが正常であると判定する。また例えば、判定部２０４０は、さらに別の処理を行うことで、第１電池セルが経年劣化しているか否かの判定などを行ってもよい。
【００３３】
＜電池セルについて＞
情報処理装置２０００が扱う電池セルの構成及び利用環境について例示する。図５は、電池セルを有する蓄電システム１００を例示する図である。蓄電システム１００は、電池セル１０及び電池セル１０を制御するための機能構成部を有する。
【００３４】
蓄電システム１００において、直列に接続された電池セル１０が電池パック１０１の内部に納められている。電池セル１０は、例えばリチウムイオン二次電池やニッケル水素電池といった、充放電可能な二次電池である。電池セル１０の正極端子と負極端子の成分は任意である。例えば電池セル１０の正極端子は Mn スピネルを主成分とする端子であり、電池セル１０の負極端子は黒鉛を主成分とする端子である。
【００３５】
さらに電池パック１０１は、正極端子１０２、負極端子１０４、及び電圧測定部１０６を有する。正極端子１０２と負極端子１０４は、電力を消費する負荷（電子機器など）や電力を供給する電源（発電装置や系統電源など）と接続される端子である。電池セル１０に蓄えられた電力は、正極端子１０２及び負極端子１０４に接続された負荷へ供給される。また電池セル１０は、正極端子１０２及び負極端子１０４に接続された電源から供給される電力によって充電される。電圧測定部１０６は、各電池セル１０の電圧を測定する測定器である。
【００３６】
蓄電システム１００は、電池パック１０１に加え、制御部１０８及び記憶部１１０を有する。制御部１０８は、電池パック１０１の制御や電池パック１０１の状態の管理を行う。例えば制御部１０８は、MCU（Micro Control Unit）などを用いて構成される。記憶部１１０は、電池パック１０１に関する種々のデータを記憶するための記憶装置である。制御部１０８は、電圧測定部１０６によって測定された電池セル１０の電圧を記憶部１１０に記憶させたり、電池セル１０の電圧に関するデータを外部の装置（例えば情報処理装置２０００へ送信したりする。
【００３７】
電圧測定部１０６は、定期的なタイミング（例えば１時間に１回など）で各電池セル１０の電圧を繰り返し測定してもよいし、指定された特定のタイミングで各電池セル１０の電圧を測定してもよい。後者の場合、例えば制御部１０８が、電池セル１０の充電が完了した時点と、電池セル１０の充電が完了した時点から所定時間経過した時点において、電圧測定部１０６へ制御信号を送信する。電圧測定部１０６は、この制御信号を受信したタイミングで各電池セル１０の電圧を測定する。こうすることで、上記２つの時点において各電池セル１０の電圧が測定される。
【００３８】
なお、図５に示した蓄電システム１００の構成はあくまで一例であり、蓄電システム１００の構成は図５に示した構成に限定されない。例えば電池パック１０１において、負荷を接続する端子と電源を接続する端子は、互いに異なる端子であってもよい。また、蓄電システム１００には複数の電池パック１０１が含まれていてもよい。
【００３９】
蓄電システム１００の用途は任意である。例えば蓄電システム１００は、太陽光発電装置などの発電装置によって発電された電力の蓄電及び放電に利用される。この場合、発電装置によって発電された電力が、各電池セル１０に蓄えられる。蓄電システム１００は、家などに設置される家庭用のシステムであってもよいし、工場などに設置される業務用のシステムであってもよい。
【００４０】
情報処理装置２０００は、１つ以上の蓄電システム１００から種々のデータ（例えば電池セル１０の電圧）を収集することで、蓄電システム１００の管理（電池セル１０に異常が生じていることの検出など）を行う。
【００４１】
図６は、複数の蓄電システム１００と通信回線を介して接続された情報処理装置２０００を例示する図である。情報処理装置２０００は、各蓄電システム１００から電池セル１０に関するデータを収集する。収集されたデータは、記憶部２００に記憶される。記憶部２００は、情報処理装置２０００の内部に設けられていてもよいし、外部に設けられていてもよい。
【００４２】
図７は、記憶部２００に記憶されるデータをテーブル形式で例示する図である。図Ｂに示すテーブルを、テーブル３００と表記する。テーブル３００は、システムＩＤ３０２、セルＩＤ３０４、時刻３０６、及び電圧３０８を有する。テーブル３００の各レコードは、或る時刻に測定された電池セル１０の電圧を示す。システムＩＤ３０２は、電池セル１０が含まれる蓄電システム１００の識別子（ＩＤ：identifier）を示す。セルＩＤ３０４は、電池セル１０のＩＤを示す。時刻３０６は、電池セル１０の電圧が測定された時刻を示す。電圧３０８は、測定された電池セル１０の電圧の値を示す。ここで、情報処理装置２０００によって管理される蓄電システム１００の数が１つである場合、テーブル３００はシステムＩＤ３０２を有さなくてもよい。
【００４３】
なお、情報処理装置２０００は必ずしも通信回線を介して蓄電システム１００と接続される必要はない。例えば情報処理装置２０００によって管理される蓄電システム１００が１つである場合、情報処理装置２０００は、管理対象の蓄電システム１００の内部に設けられてもよい。またこの場合、蓄電システム１００に含まれる制御部１０８が、情報処理装置２０００の機能を有していてもよい。
【００４４】
＜第１差分電圧の取得：Ｓ１０２＞
電池セル１０の第１差分電圧は、充電が完了した電池セル１０の電圧と、充電が完了してから所定時間動作した時点における電池セル１０の電圧とを用いて算出される。前述したように、これらの電圧は電圧測定部１０６によって測定される。
【００４５】
第１差分電圧の算出を行う装置は任意の装置である。例えば第１差分電圧の算出は、情報処理装置２０００によって行われる。この場合、情報処理装置２０００は、電圧測定部１０６によって測定された電池セル１０の電圧を取得する。ここで情報処理装置２０００は、蓄電システム１００から電池セル１０の電圧を直接取得してもよいし、蓄電システム１００以外の装置を介して電池セル１０の電圧を取得してもよい。
【００４６】
第１差分電圧の算出は、情報処理装置２０００以外の装置によって行われてもよい。この場合、第１差分電圧取得部２０２０は、第１差分電圧の算出を行った装置から、算出された第１差分電圧を取得する。
【００４７】
第１差分電圧の算出は蓄電システム１００の内部で行われてもよい。この場合、制御部１０８は、算出した第１差分電圧を記憶部１１０に記憶させたり、情報処理装置２０００へ送信したりする。この場合、制御部１０８は、電池セル１０の電圧を情報処理装置２０００などへ送信しなくてもよい。
【００４８】
＜判定部２０４０による判定：Ｓ１０４−Ｓ１０６＞
判定部２０４０は、第１電池セルの第１差分電圧と第２電池セルの第１差分電圧との差異が第１所定値以上である場合に（Ｓ１０４：ＹＥＳ）、第１電池セルに異常が生じていると判定する（Ｓ１０６）。第１所定値は、判定部２０４０に予め設定されていてもよいし、判定部２０４０からアクセス可能な記憶装置に記憶されていてもよい。
【００４９】
第１所定値は、電池セル１０の特性などによって定まる値である。例えば、電池セル１０の正極端子の主成分が Mn スピネルであり、電池セル１０の負極端子の主成分が黒鉛であり、なおかつ前述した所定時間 DT が４時間である場合、第１所定値を 5mV とすることが好適である。
【００５０】
第１電池セルは、蓄電システム１００に含まれる電池セル１０である。判定部２０４０がどの電池セル１０を第１電池セルとして扱うかを決定する方法には、様々な方法がある。例えば判定部２０４０は、蓄電システム１００に含まれる電池セル１０の中で最も第１差分電圧が大きい電池セル１０を、第１電池セルとして扱う。この場合、第２電池セルは、２番目に第１差分電圧が大きい電池セル１０となる。
【００５１】
ここで、充電完了後に出力電圧が大きく下がっていく電池セル１０については、異常が生じている蓋然性が高い。そのため、蓄電システム１００に含まれる電池セル１０の中で最も第１差分電圧が大きい電池セル１０を第１電池セルとして扱うことで、異常が生じている電池セル１０を早期に検出することができる。
【００５２】
なお判定部２０４０は、蓄電システム１００に含まれる電池セル１０のいずれか１つを第１電池セルとして扱ってもよいし、蓄電システム１００に含まれる複数の電池セル１０それぞれを第１電池セルとして扱ってもよい。後者の場合、判定部２０４０は、例えば蓄電システム１００に含まれる各電池セル１０を順次第１電池セルとして扱うことにより、各電池セル１０について異常が生じているか否かの判定を行っていく。
【００５３】
図８は、蓄電システム１００に含まれる各電池セル１０を順次第１電池セルとして扱うケースにおいて、情報処理装置２０００によって実行される処理の流れを例示するフローチャートである。判定部２０４０は、電池セル１０の識別子（ＩＤ：identifier）を第１差分電圧の降順にソートした配列 X を生成する（Ｓ２０２）。
【００５４】
Ｓ２０４からＳ２０８は、各電池セル１０について実行されるループ処理Ａである。判定部２０４０は、配列 X に含まれる識別子の電池セル１０を先頭から順に、第１電池セルとして扱う。具体的には、識別子が X[i] である電池セル１０を第１電池セルとして扱う。この場合、識別子が X[i+1] である電池セル１０が第２電池セルとして扱われる。なお、n は配列 X の要素数（電池セル１０の総数）である。「i<n」という条件が満たされなくなった場合（i=n となった場合）、図８の処理は終了する。
【００５５】
Ｓ２０６において、判定部２０４０は、識別子が X[i] の電池セル１０（第１電池セル）の第１差分電圧と、識別子が X[i+1] の電池セル１０（第２電池セル）の第１差分電圧との差異が第１所定値以上であるか否かを判定する。第１電池セルの第１差分電圧と第２電池セルの第１差分電圧との差異が第１所定値未満である場合（Ｓ２０６：ＮＯ）、図８の処理はＳ２０８に進む。Ｓ２０８はループ処理Ａの終端であるため、図８の処理はＳ２０４へ戻る。
【００５６】
一方、第１電池セルの第１差分電圧と第２電池セルの第１差分電圧との差異が所定値以上である場合（Ｓ２０６：ＹＥＳ）、判定部２０４０は、識別子が X[1] から X[i] に含まれる各電池セル１０に異常が生じていると判定する（Ｓ２０８）。識別子が X[1] から X[i] に含まれる電池セル１０は、識別子が X[i] である電池セル１０（最後に第１電池セルとして扱われた電池セル１０）、及びその電池セル１０よりも第１差分電圧が大きい各電池セル１０である。
【００５７】
このように、複数の電池セル１０それぞれを順次第１電池セルとして扱うことにより、蓄電システム１００に含まれる電池セル１０の内の２つ以上に異常が生じている場合において、それら２つ以上の電池セル１０に異常が生じていることを検出することができる。図９に示す例を用いてその理由を説明する。
【００５８】
図９は、複数の電池セル１０それぞれの電圧の変化を示す図である。具体的には、図９は、５つの電池セル１０（電池セルＡから電池セルＥ）それぞれの電圧の変化を示している。電池セルＡから電池セルＥは、この順に第１差分電圧が大きい。なお図９では、各電池セル１０の充電が完了した時点がいずれも０となり、なおかつその時点における各電池セル１０の電圧が同一となるように、各グラフが平行移動されている。
【００５９】
最も第１差分電圧が大きい電池セルＥの第１差分電圧と、その次に第１差分電圧が大きい電池セルＤの第１差分電圧との差異（図９の d1）は小さく、第１所定値未満である。そのため、電池セルＥを第１電池セルとして扱った場合には、電池セルＥに異常が生じているとは判定されない。
【００６０】
一方、電池セルＤの第１差分電圧と、その次に第１差分電圧が大きい電池セルＣの第１差分電圧との差異（図９の d2）は第１所定値以上である。そのため、電池セルＤを第１電池セルとして扱った場合には、電池セルＤに異常が生じているとは判定される。
【００６１】
しかし図９を見ると、電池セルＤだけでなく、電池セルＤよりも第１差分電圧が大きい電池セルＥについても異常が生じていると考えられる。そこで判定部２０４０は、前述したように、Ｓ２０６において「第１電池セルの第１差分電圧と第２電池セルの第１差分電圧との差異が第１所定値以上である」と判定された場合に、第１電池セル（上述の例における電池セルＤ）だけでなく、第１電池セルよりも第１差分電圧が大きい他の電池セル１０（上述の例における電池セルＥ）についても、異常が生じていると判定する。これにより、複数の電池セル１０に異常が生じている場合において、それらの複数の電池セル１０に異常が生じていることを検出することができる。
【００６２】
なお、蓄電システム１００が複数の電池パック１０１を有する場合、情報処理装置２０００は、異常が生じている電池セル１０を検出する処理（例えば図８に示した一連の処理）を、電池パック１０１ごとに行ってもよい。このように電池パック１０１ごとに異常が生じている電池セル１０の検出を行う場合、第１差分電圧の比較が同一の電池パック１０１内の電池セル１０同士についてのみ行われる（第１電池セルと第２電池セルは同一の電池パック１０１に含まれる）。こうすることで、蓄電システム１００において電池セル１０の特徴が電池パック１０１ごとに異なる場合であっても、異常が生じている電池セル１０を高い精度で検出することができる。
【００６３】
＜判定結果の通知＞
判定部２０４０による判定の結果を情報処理装置２０００のユーザに通知する方法は任意である。例えば情報処理装置２０００は、情報処理装置２０００に接続されているディスプレイ装置や、情報処理装置２０００のユーザが所有する携帯端末に対して、異常が生じていると判定された電池セル１０のＩＤを出力する。
【００６４】
＜異常が生じていると判定された電池セル１０の取り扱い＞
異常が生じていると判定された電池セル１０の取り扱いは任意である。例えば、異常が生じていると判定された電池セル１０は、新しい電池セル１０と交換される。
【００６５】
［実施形態２］
図１０は、実施形態２の情報処理装置２０００を例示する図である。下記で説明する点を除き、実施形態２の情報処理装置２０００は、実施形態１の情報処理装置２０００と同様の機能を有する。
【００６６】
実施形態２の情報処理装置２０００は、第１差分電圧に加え、電池セル１０を制御するセルバランス回路の動作頻度に基づいて、電池セル１０に異常が発生しているか否かを判定する。セルバランス回路は、複数の電池セル１０の電圧を揃えるバランス動作を実行する回路である。
【００６７】
実施形態２の情報処理装置２０００は、頻度指標値取得部２０６０を有する。頻度指標値取得部２０６０は、セルバランス回路の動作頻度を示す値（以下、頻度指標値）を取得する。
【００６８】
実施形態２の判定部２０４０は、第１電池セルの第１差分電圧と第２電池セルの第１差分電圧との差異（FDV1-FDV2）が第１所定値以上であり、なおかつ第１電池セルを制御するセルバランス回路の動作頻度が所定の頻度以上である場合に、第１電池セルに異常が発生していると判定する。第１所定値は、例えば「１日の中で所定時間（例えば２時間や３時間）以上セルバランス回路が連続動作し、なおかつその連続動作が所定日数以上（例えば２日や３日）続く」という頻度を表す。
【００６９】
＜処理の流れ＞
図１１は、実施形態２の情報処理装置２０００によって実行される処理の流れを例示するフローチャートである。図１１において、Ｓ３０２及びＳ３０４以外のステップは、図４の同符号のステップと同じ処理を表す。
【００７０】
第１電池セルの第１差分電圧と第２電池セルの第１差分電圧との差異（FDV1-FDV2）が第１所定値以上である場合（Ｓ１０４：ＹＥＳ）、図１１の処理はＳ３０２に進む。Ｓ３０２において、頻度指標値取得部２０６０は、第１電池セルを制御するセルバランス回路の頻度指標値を取得する。判定部２０４０は、取得した頻度指標値を用いて、第１電池セルを制御するセルバランス回路の動作頻度が所定の頻度以上であるか否かを判定する（Ｓ３０４）。第１電池セルを制御するセルバランス回路の動作頻度が所定の頻度以上である場合（Ｓ３０４：ＹＥＳ）、判定部２０４０は、第１電池セルに異常が生じていると判定する（Ｓ１０６）。
【００７１】
第１電池セルを制御するセルバランス回路の動作頻度が所定の頻度未満である場合（Ｓ３０４：ＮＯ）についての第１電池セルの扱いは任意である。例えば判定部２０４０は、第１電池セルが経年劣化している、又は第１電池セルの経過観察が必要であると判定する。ここで、経過観察が必要な電池セル１０とは、現時点では異常が生じているとは判定できないものの、異常が生じている可能性があるため、今後、異常が生じているか否かのチェックを他の電池セル１０よりも重点的に行うべき電池セル１０である。なお、経過観察の方法は任意である。
【００７２】
なお、実施形態１で説明したように、判定部２０４０は、蓄電システム１００に含まれる複数の電池セル１０それぞれを順次第１電池セルとして扱ってもよい（図８参照）。この場合、判定部２０４０は、第１電池セルだけでなく、第１電池セルよりも第１差分電圧が大きい各電池セル１０についても、Ｓ３０２以降の処理を行ってもよい。具体的には、判定部２０４０は、図８のＳ２１０において識別子が x[1...i] に含まれる複数の電池セル１０それぞれについて、Ｓ３０２以降の処理を行う。こうすることで、異常が生じている電池セル１０が複数ある場合にも、それらを検出することができる。
【００７３】
例えば、識別子が x[1...i] に含まれる電池セル１０の１つに、電池セル１０−ｊがあるとする。この場合、Ｓ３０２において、頻度指標値取得部２０６０は、電池セル１０−ｊを制御するセルバランス回路の頻度指標値を取得する。判定部２０４０は、取得した頻度指標値を用いて、電池セル１０−ｊを制御するセルバランス回路の動作頻度が所定の頻度以上であるか否かを判定する（Ｓ３０４）。電池セル１０−ｊを制御するセルバランス回路の動作頻度が所定の頻度以上である場合（Ｓ３０４：ＹＥＳ）、判定部２０４０は、電池セル１０−ｊに異常が生じていると判定する（Ｓ１０６）。
【００７４】
＜蓄電システム１００について＞
図１２は、実施形態２における蓄電システム１００を例示する図である。図１２の電池パック１０１は、セルバランス回路１１２を有する。セルバランス回路１１２は、電池パック１０１に含まれる電池セル１０の電圧を揃えるバランス動作を実行する。セルバランス回路１１２は、電圧が高い電池セル１０に抵抗器を通して放電をさせる回路（パッシブバランス回路）であってもよいし、電圧の高い電池セル１０に電力を放電させ、その電力を電圧が低い電池セル１０に充電する回路（アクティブバランス回路）であってもよい。セルバランス回路１１２は、各々の電池セル１０に対応するスイッチ素子等を含んでおり、対象の電池セル１０に対応するスイッチ素子の ON/OFF を切り替えることで電池セル１０の電圧を調整できるように構成されている。
【００７５】
図１２の制御部１０８は、図５の制御部１０８が有する機能に加え、セルバランス回路１１２を制御する機能を有する。具体的には、制御部１０８は、電圧測定部１０６によって測定された各電池セル１０の電圧に基づいて、電池パック１０１内の電池セル１０の電圧のバランスを監視する。そして制御部１０８は、電池パック１０１に含まれる電池セル１０の電圧のバランスが崩れていると判定した場合に、その電池パック１０１のセルバランス回路１１２に対してバランス動作の実行命令を送信する。これにより、セルバランス回路１１２が動作する。
【００７６】
ここで、図１２に示した蓄電システム１００の構成はあくまで例示であり、蓄電システム１００の構成は図１２の構成に限定されない。例えば、セルバランス回路１１２を制御する制御部は、電池パック１０１ごとに設けられてもよい。
【００７７】
＜頻度指標値の取得：Ｓ３０２＞
判定部２０４０は、第１電池セルを制御するセルバランス回路１１２の頻度指標値を取得する（Ｓ３０２）。ここで、判定部２０４０が各セルバランス回路１１２の動作頻度を表す頻度指標値は、各セルバランス回路１１２の動作頻度を把握することができる任意の情報でよい。
【００７８】
例えば頻度指標値は、単位時間当たりのセルバランス回路１１２の動作回数（セルバランス回路１１２の動作回数をセルバランス回路１１２の稼働時間で割った値）である。セルバランス回路１１２の動作回数は、例えば制御部１０８によってカウントされる。頻度指標値は、制御部１０８によって算出されてもよいし、制御部１０８以外（例えば情報処理装置２０００）によって算出されてもよい。判定部２０４０は、頻度指標値を算出した機能構成部（例えば制御部１０８）から頻度指標値を取得する。
【００７９】
また例えば頻度指標値は、セルバランス回路１１２が動作した回数を示す値である。この場合、判定部２０４０は、頻度指標値をセルバランス回路１１２の稼働時間で割ることにより、セルバランス回路１１２の動作頻度を算出する。判定部２０４０は、例えば制御部１０８から頻度指標値を取得する。
【００８０】
＜判定部２０４０による判定：Ｓ３０４＞
判定部２０４０は、第１電池セルを制御するセルバランス回路１１２の動作頻度が所定の頻度以上であるか否かを判定する（Ｓ３０４）。この所定の頻度は、判定部２０４０に予め設定されていてもよいし、判定部２０４０からアクセス可能な記憶装置に記憶されていてもよい。
【００８１】
＜ハードウエア構成＞
実施形態２の情報処理装置２０００は、実施形態１と同様に計算機１０００を用いて実現される（図３参照）。本実施形態において、前述したストレージ１０８０に記憶される各プログラムモジュールには、本実施形態で説明した各機能を実現するプログラムがさらに含まれる。
【００８２】
＜作用・効果＞
異常が生じている電池セル１０が電池パック１０１の中に含まれていると、その電池セル１０の存在により、電池パック１０１内の電池セル１０の電圧のバランスが崩れやすくなる。そのため、その電池パック１０１を制御するセルバランス回路１１２の動作頻度が高くなる。そこで本実施形態の情報処理装置２０００は、第１電池セルの第１差分電圧と第２電池セルの第１差分電圧との差異に加え、第１電池セルを制御するセルバランス回路の動作頻度を考慮して、第１電池セルに異常が生じているか否かを判定する。こうすることで、異常が生じている電池セル１０をより高い精度で検出することができる。
【００８３】
［実施形態３］
図１３は、実施形態３の情報処理装置２０００を例示する図である。下記で説明する点を除き、実施形態３の情報処理装置２０００は、実施形態２の情報処理装置２０００と同様の機能を有する。
【００８４】
実施形態３の情報処理装置２０００は、経過観察が必要な電池セル１０を検出する機能を有する。そのために実施形態３の情報処理装置２０００は、第２差分電圧取得部２０８０を有する。第２差分電圧取得部２０８０は、電池セル１０の第２差分電圧を取得する。電池セル１０の第２差分電圧は、充電が完了したその電池セル１０の電圧と、放電が完了したその電池セル１０の電圧（例えば放電が完了した時点におけるその電池セル１０の電圧）との差分である。電池セル１０の放電の完了とは、電池セル１０が完全放電されることを意味する。
【００８５】
ここで、「放電が完了した電池セル１０の電圧」とは、その電池セル１０の放電が完了した時点からその電池セル１０の充電を開始する時点までの間の任意の時点におけるその電池セル１０の電圧であればよい。ただし、前述した「放電が完了した時点におけるその電池セル１０の電圧」を「放電が完了した電池セル１０の電圧」とすることが好適である。
【００８６】
図１４は、第２差分電圧を例示する図である。図１４において、時点 Ta は電池セル１０の充電が完了した時点である。時点 Tc は、電池セル１０の放電が完了した時点である。図１４において、Va は時点 Ta における電池セル１０の電圧であり、Vc は時点 Tc における電池セル１０の電圧であり、SDV は第２差分電圧である。ここで、SDV は、Va と Vc の差分（Va-Vc）である。
【００８７】
判定部２０４０は、（１）第１電池セルの第１差分電圧と第２電池セルの第１差分電圧との差異、（２）第１電池セルを制御するセルバランス回路１１２の動作頻度を表す頻度指標値、及び（３）第１電池セルの第２差分電圧という３つの要素に基づいて、第１電池セルについて経過観察が必要であるか否かを判定する。具体的には、判定部２０４０は、（１）第１電池セルの第１差分電圧と第２電池セルの第１差分電圧との差異が第１所定値以上であり、（２）第１電池セルを制御するセルバランス回路１１２の頻度指標値が所定の頻度未満であり、なおかつ（３）第１電池セルの第２差分電圧が第２所定値以上である場合に、第１電池セルの経過観察が必要であると判定する。
【００８８】
第２差分電圧の算出方法や取得方法は、第１差分電圧の算出方法及び取得方法と同様である。
【００８９】
第２所定値は、予め判定部２０４０に設定されていてもよいし、判定部２０４０からアクセス可能な記憶装置に記憶されていてもよい。第２所定値は、例えば 600mV である。
【００９０】
＜処理の流れ＞
図１５は、実施形態３の情報処理装置２０００によって実行される処理の流れを例示するフローチャートである。図１５において、Ｓ４０２から及びＳ４０６以外のステップは、図１１の同符号のステップと同じ処理を表す。
【００９１】
第１電池セルを制御するセルバランス回路の動作頻度が所定の頻度未満である場合（Ｓ３０４：ＮＯ）、図１５の処理はＳ４０２に進む。Ｓ４０２において、第２差分電圧取得部２０８０は、第１電池セルの第２差分電圧を取得する。判定部２０４０は、第１電池セルの第２差分電圧が第２所定値以上であるか否かを判定する（Ｓ４０４）。第１電池セルの第２差分電圧が第２所定値以上である場合（Ｓ４０４：ＹＥＳ）、判定部２０４０は、第１電池セルの経過観察が必要であると判定する（Ｓ４０６）。
【００９２】
なお、運用中の電池セル１０が完全放電されるタイミングが少ないなどの理由により、第１電池セルの第２差分電圧が取得できないこともありうる。そこで、Ｓ４０２において第１電池セルの第２差分電圧が取得できない場合、判定部２０４０は、第１電池セルの経過観察が必要であると判定してもよい。
【００９３】
また、第１電池セルの第２差分電圧が第２所定値未満である場合（Ｓ４０４：ＮＯ）についての第１電池セルの扱いは任意である。例えば判定部２０４０は、第１電池セルが経年劣化していると判定する。
【００９４】
なお、実施形態１で説明したように、判定部２０４０は、蓄電システム１００に含まれる複数の電池セル１０それぞれを順次第１電池セルとして扱ってもよい（図８参照）。この場合、判定部２０４０は、第１電池セルだけでなく、第１電池セルよりも第１差分電圧が大きい各電池セル１０についても、Ｓ３０２以降の処理を行ってもよい。具体的には、判定部２０４０は、図８のＳ２１０において識別子が x[1...i] に含まれる複数の電池セル１０それぞれについて、Ｓ３０２以降の処理を行う。こうすることで、異常が生じている電池セル１０や経過観察が必要な電池セル１０が複数ある場合にも、それらを検出することができる。
【００９５】
例えば、識別子が x[1...i] に含まれる電池セル１０の１つに、電池セル１０−ｊがあるとする。まず判定部２０４０は、電池セル１０−ｊを制御するセルバランス回路１１２の頻度指標値の取得（Ｓ３０２）、及び電池セル１０−ｊを制御するセルバランス回路１１２が所定の頻度以上であるか否かの判定（Ｓ３０４）を行う。電池セル１０−ｊを制御するセルバランス回路１１２が所定の頻度未満である場合（Ｓ３０４：ＮＯ）、判定部２０４０は、電池セル１０−ｊの第２差分電圧の取得（Ｓ４０２）、及び電池セル１０−ｊの第２差分電圧が第２所定値以上であるか否かの判定（Ｓ４０４）を行う。
【００９６】
電池セル１０−ｊを制御するセルバランス回路１１２の動作頻度が所定の頻度以上である場合（Ｓ３０４：ＹＥＳ）、判定部２０４０は、電池セル１０−ｊに異常が生じていると判定する（Ｓ１０６）。一方、電池セル１０−ｊの第２差分電圧が第２所定値以上である場合（Ｓ４０４：ＹＥＳ）、判定部２０４０は、電池セル１０−ｊの経過観察が必要であると判定する（Ｓ４０６）。
【００９７】
＜ハードウエア構成＞
実施形態３の情報処理装置２０００は、実施形態１と同様に計算機１０００を用いて実現される（図３参照）。本実施形態において、前述したストレージ１０８０に記憶される各プログラムモジュールには、本実施形態で説明した各機能を実現するプログラムがさらに含まれる。
【００９８】
＜作用・効果＞
本実施形態の情報処理装置２０００によれば、異常が生じている電池セル１０だけでなく、経過観察が必要な電池セル１０が検出される。よって、電池セル１０の状態をより細かく把握することができるため、電池セル１０の状態に応じた適切な対処をとることができるようになる。
【００９９】
以上、図面を参照して本発明の実施形態について述べたが、これらは本発明の例示であり、上記各実施形態の組み合わせ、又は上記以外の様々な構成を採用することもできる。
【０１００】
例えば判定部２０４０は、第１電池セルの第１差分電圧と第２電池セルの第１差分電圧の差異が第１所定値以上であるか否かの判定（Ｓ１０４）の代わりに、第１電池セルの第１差分電圧が、蓄電システム１００に含まれる各電池セル１０の第１差分電圧から見て統計的に外れ値であるか否かを判定してもよい。第１電池セルの第１差分電圧が統計的に外れ値である場合、判定部２０４０は、「第１電池セルの第１差分電圧と第２電池セルの第１差分電圧の差異が第１所定値以上である」と判定された場合（Ｓ１０４：ＹＥＳ）の処理を行う。
【０１０１】
より具体的には、判定部２０４０は、第１電池セルの第１差分電圧と、蓄電システム１００に含まれる全ての電池セル１０の第１差分電圧の平均値との差異が所定の値以上であるか否かを判定する。所定の値は、例えば３σである。なお、σは、蓄電システム１００に含まれる全ての電池セル１０の第１差分電圧の標準偏差である。
【０１０２】
この出願は、２０１６年７月１２日に出願された日本出願特願２０１６−１３７２３６号を基礎とする優先権を主張し、その開示の全てをここに取り込む。
【図１】
2018012151.tif 000003
【図２】
2018012151.tif 000004
【図３】
2018012151.tif 000005
【図４】
2018012151.tif 000006
【図５】
2018012151.tif 000007
【図６】
2018012151.tif 000008
【図７】
2018012151.tif 000009
【図８】
2018012151.tif 000010
【図９】
2018012151.tif 000011
【図１０】
2018012151.tif 000012
【図１１】
2018012151.tif 000013
【図１２】
2018012151.tif 000014
【図１３】
2018012151.tif 000015
【図１４】
2018012151.tif 000016
【図１５】
2018012151.tif 000017
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
直列に接続された複数の電池セルそれぞれについて、充電が完了した後の電圧と、充電が完了してから所定時間動作した時点における電圧との差分である第１差分電圧を取得する第１差分電圧取得手段と、
第１の前記電池セルの前記第１差分電圧と、第１の前記電池セルの次に前記第１差分電圧が大きい第２の前記電池セルの前記第１差分電圧との差異が第１所定値以上である場合に、第１の前記電池セルに異常が発生していると判定する判定手段と、を有する情報処理装置。
【請求項２】
第１の前記電池セルは、前記第１差分電圧が最も大きい前記電池セルである、請求項１に記載の情報処理装置。
【請求項３】
前記判定手段は、第１の前記電池セルに異常が発生していると判定した場合、第１の前記電池セルの第１差分電圧よりも第１差分電圧が大きい他の前記電池セルにも異常が発生していると判定する、請求項１に記載の情報処理装置。
【請求項４】
前記電池セルを制御するセルバランス回路の動作頻度を表す頻度指標値を取得する頻度指標値取得手段を有し、
前記判定手段は、第１の前記電池セルの前記第１差分電圧と、第１の前記電池セルの次に前記第１差分電圧が大きい第２の前記電池セルの前記第１差分電圧との差異が前記第１所定値以上であり、なおかつ第１の前記電池セルを制御するセルバランス回路の動作頻度が所定頻度以上である場合に、第１の前記電池セルに異常が発生していると判定する、請求項１乃至３いずれか一つに記載の情報処理装置。
【請求項５】
各前記電池セルについて、充電が完了した後の電圧と、放電が完了した後の電圧との差分である第２差分電圧を取得する第２差分電圧取得手段を有し、
前記判定手段は、第１の前記電池セルの前記第１差分電圧と、第１の前記電池セルの次に前記第１差分電圧が大きい第２の前記電池セルの前記第１差分電圧との差異が前記第１所定値以上であり、第１の前記電池セルを制御するセルバランス回路の動作頻度が前記所定頻度未満であり、なおかつ第１の前記電池セルの前記第２差分電圧が第２所定値以上ある場合に、第１の前記電池セルの経過観察が必要であると判定する、請求項４に記載の情報処理装置。
【請求項６】
コンピュータによって実行される制御方法であって、
直列に接続された複数の電池セルそれぞれについて、充電が完了した後の電圧と、充電が完了してから所定時間動作した時点における電圧との差分である第１差分電圧を取得する第１差分電圧取得ステップと、
第１の前記電池セルの前記第１差分電圧と、第１の前記電池セルの次に前記第１差分電圧が大きい第２の前記電池セルの前記第１差分電圧との差異が第１所定値以上である場合に、第１の前記電池セルに異常が発生していると判定する判定ステップと、を有する制御方法。
【請求項７】
第１の前記電池セルは、前記第１差分電圧が最も大きい前記電池セルである、請求項６に記載の制御方法。
【請求項８】
前記判定ステップにおいて、第１の前記電池セルに異常が発生していると判定した場合、第１の前記電池セルの第１差分電圧よりも第１差分電圧が大きい他の前記電池セルにも異常が発生していると判定する、請求項６に記載の制御方法。
【請求項９】
前記電池セルを制御するセルバランス回路の動作頻度を表す頻度指標値を取得する頻度指標値取得ステップを有し、
前記判定ステップにおいて、第１の前記電池セルの前記第１差分電圧と、第１の前記電池セルの次に前記第１差分電圧が大きい第２の前記電池セルの前記第１差分電圧との差異が前記第１所定値以上であり、なおかつ第１の前記電池セルを制御するセルバランス回路の動作頻度が所定頻度以上である場合に、第１の前記電池セルに異常が発生していると判定する、請求項６乃至８いずれか一つに記載の制御方法。
【請求項１０】
各前記電池セルについて、充電が完了した後の電圧と、放電が完了した後の電圧との差分である第２差分電圧を取得する第２差分電圧取得ステップを有し、
前記判定ステップにおいて、第１の前記電池セルの前記第１差分電圧と、第１の前記電池セルの次に前記第１差分電圧が大きい第２の前記電池セルの前記第１差分電圧との差異が前記第１所定値以上であり、第１の前記電池セルを制御するセルバランス回路の動作頻度が前記所定頻度未満であり、なおかつ第１の前記電池セルの前記第２差分電圧が第２所定値以上ある場合に、第１の前記電池セルの経過観察が必要であると判定する、請求項９に記載の制御方法。
【請求項１１】
請求項６乃至１０いずれか一つに記載の制御方法の各ステップをコンピュータに実行させるプログラム。
【国際調査報告】
2018012151.tif 000018
2018012151.tif 000019
2018012151.tif 000020
2018012151.tif 000021
2018012151.tif 000022
2018012151.tif 000023